(57)【要約】【課題】内外圧力差が生じないようにしつつ、強度の向上を図ることができるバルコニー囲い構造及びその施工方法を提供すること。【解決手段】建物躯体１から外部に張り出されたバルコニー２の上方域を覆うように設置されるもので、バルコニー横壁４ａの束部材５に架け渡されるようそれぞれの束部材５に連結される横桁部材１０ａと、バルコニー前壁４ｂの束部材５に架け渡されるようそれぞれの束部材５に連結され、横桁部材１０ａと柱部材５０を介して連結された前桁部材１０ｂと、前桁部材１０ｂの上方に架設された前梁部材２０ｂと、横桁部材１０ａの上方に架設された横梁部材２０ａと、前梁部材２０ｂ、横梁部材２０ａ及び建物躯体１により形成される上部開口を覆うよう設けられた屋根部３０と、横上側開口部６０ａ及び前上側開口部６０ｂを覆うよう設けられた窓部４０とを備えたものである。【選択図】図１
2013241757.tif 000002
【特許請求の範囲】
【請求項１】
建物躯体から外部に張り出されたバルコニーの上方域を覆うように設置されたバルコニー囲い構造において、
前記建物躯体より外部に突出するバルコニー横壁の頂部に該バルコニー横壁の延在方向に沿って所定間隔毎に上方に突出する束部材に架け渡されるようそれぞれの束部材に連結され、かつ基端部が前記建物躯体に連結された横桁部材と、
前記バルコニー横壁の突出端部に連続して接続するバルコニー前壁の頂部において該バルコニー前壁の延在方向に沿って所定間隔毎に上方に突出する束部材に架け渡されるようそれぞれの束部材に連結され、かつ端部が柱部材を介して前記横桁部材の先端部に連結された前桁部材と、
前記柱部材の上端部間において前記前桁部材の上方に架設された前梁部材と、
前記建物躯体と前記柱部材との間において前記横桁部材の上方に架設された横梁部材と、
前記前梁部材、前記横梁部材及び前記建物躯体により形成される上部開口を覆うよう設けられた屋根部と、
前記横桁部材と前記横梁部材との間の横上側開口部、並びに前記前桁部材と前記前梁部材との間の前上側開口部のそれぞれを覆うよう設けられた窓部と
を備えたことを特徴とするバルコニー囲い構造。
【請求項２】
前記前桁部材と前記バルコニー前壁との間に形成される複数の前下側開口部、並びに前記横桁部材と前記バルコニー横壁との間に形成される複数の横下側開口部のそれぞれを覆うよう設けられ、かつ空気の通過を許容する通風体を備えたことを特徴とする請求項１に記載のバルコニー囲い構造。
【請求項３】
前記通風体は、前記横桁部材及び前記前桁部材のそれぞれの下面に接するとともに、外端面が前記横桁部材及び前記前桁部材の外面と同一平面を形成するよう若しくは該外面よりも内方となるよう設けられていることを特徴とする請求項２に記載のバルコニー囲い構造。
【請求項４】
建物躯体から外部に張り出されたバルコニーの上方域を覆うバルコニー囲い構造の施工方法において、
前記建物躯体より外部に突出するバルコニー横壁及びこのバルコニー横壁の突出端部に連続して接続するバルコニー前壁のそれぞれの頂部において所定間隔毎に上方に突出する束部材に架け渡されるよう設けられた手摺笠木を取り外す取外工程と、
前記バルコニー横壁の延在方向に沿ってその頂部より突出する束部材に横桁部材を架け渡し、該横桁部材をそれぞれの束部材に連結させるとともに、該横桁部材の基端部を前記建物躯体に連結させることで横桁部材を取り付ける横桁取付工程と、
前記バルコニー前壁の延在方向に沿ってその頂部より突出する束部材に前桁部材を架け渡し、該前桁部材をそれぞれの束部材に連結させるとともに、該前桁部材の端部を前記横桁部材の先端部に柱部材を介して連結させることで前桁部材を取り付ける前桁取付工程と、
前記柱部材の上端部間において前梁部材を前桁部材の上方に架設させるとともに、前記建物躯体と前記柱部材との間において横梁部材を横桁部材の上方に架設させることで前梁部材及び横梁部材を取り付ける梁取付工程と、
前記前梁部材、前記横梁部材及び前記建物躯体により形成される上部開口を覆うよう屋根部を取り付ける屋根取付工程と、
前記横桁部材と前記横梁部材との間の横上側開口部、並びに前記前桁部材と前記前梁部材との間の前上側開口部のそれぞれを覆うよう窓部を取り付ける窓取付工程と
を含むことを特徴とするバルコニー囲い構造の施工方法。
【請求項５】
前記前桁部材と前記バルコニー前壁との間に形成される複数の前下側開口部、並びに前記横桁部材と前記バルコニー横壁との間に形成される複数の横下側開口部のそれぞれを覆うよう空気の通過を許容する通風体を取り付ける通風体取付工程を含むことを特徴とする請求項４に記載のバルコニー囲い構造の施工方法。
【発明の詳細な説明】
【技術分野】
【０００１】
本発明は、バルコニー囲い構造及びその施工方法に関し、より詳細には、建物躯体から外部に張り出されたバルコニーの上方域を覆うように設置されたバルコニー囲い構造及びその施工方法に関するものである。
【背景技術】
【０００２】
従来、建物躯体から外部に張り出されたバルコニーの上方域を覆うように設置されたバルコニー囲い構造として、支柱と、庇と、窓部とを備えたものが知られている。
【０００３】
支柱は、バルコニーを構成するバルコニー壁の頂面に所定間隔毎に複数本立設されている。これら支柱の上端部間には桁が架設されるとともに、支柱の下端部間には面材支持体が架設されている。この面材支持体は、バルコニー壁の頂面（笠木）との間に間隙が設けられるように架設されている。庇は、支柱間に架設された桁により構成される枠形状に垂木が架設されて、これら垂木間に面材が配設されることにより構成されている。窓部は、支柱、桁及び面材支持体に囲繞される複数の開口部にそれぞれ設置されており、上枠、下枠及び一対の縦枠を四周枠組みすることによって構成した矩形状の開口枠に障子がスライド移動可能に配設されて構成されている。
【０００４】
このような構成を有するバルコニー囲い構造においては、バルコニー壁の頂面に支柱を立設することでバルコニーの内部空間を有効に利用しつつ、バルコニー壁の頂面との間に間隙が形成されているので、かかる間隙を通気口として空気が内外に通過することを許容して内外圧力差が生じないようにしている（例えば、特許文献１参照）。
【先行技術文献】
【特許文献】
【０００５】
【特許文献１】特許第３７６９３７２号公報
【発明の概要】
【発明が解決しようとする課題】
【０００６】
ところで、上述したようなバルコニー囲い構造では、支柱の下端部間に面材支持体を架設して窓部を支持するようにしているが、面材支持体は、バルコニー壁の頂面との間に間隙が設けられるように架設されているために、重量物である窓部を支持するには強度が不十分なものとなる虞れがあった。そのため、面材支持体の強度不足を補うために、より多くの支柱を立設させて、支柱間距離を短くすることが考えられるが、これでは支柱の本数が過大な印象を与え、意匠的にも優れたものとはいえない。
【０００７】
本発明は、上記実情に鑑みて、内外圧力差が生じないようにしつつ、強度の向上を図ることができるバルコニー囲い構造及びその施工方法を提供することを目的とする。
【課題を解決するための手段】
【０００８】
上記目的を達成するために、本発明に係るバルコニー囲い構造は、建物躯体から外部に張り出されたバルコニーの上方域を覆うように設置されたバルコニー囲い構造において、前記建物躯体より外部に突出するバルコニー横壁の頂部に該バルコニー横壁の延在方向に沿って所定間隔毎に上方に突出する束部材に架け渡されるようそれぞれの束部材に連結され、かつ基端部が前記建物躯体に連結された横桁部材と、前記バルコニー横壁の突出端部に連続して接続するバルコニー前壁の頂部において該バルコニー前壁の延在方向に沿って所定間隔毎に上方に突出する束部材に架け渡されるようそれぞれの束部材に連結され、かつ端部が柱部材を介して前記横桁部材の先端部に連結された前桁部材と、前記柱部材の上端部間において前記前桁部材の上方に架設された前梁部材と、前記建物躯体と前記柱部材との間において前記横桁部材の上方に架設された横梁部材と、前記前梁部材、前記横梁部材及び前記建物躯体により形成される上部開口を覆うよう設けられた屋根部と、前記横桁部材と前記横梁部材との間の横上側開口部、並びに前記前桁部材と前記前梁部材との間の前上側開口部のそれぞれを覆うよう設けられた窓部とを備えたことを特徴とする。
【０００９】
この発明によれば、横桁部材及び前桁部材が複数の束部材に架け渡されるようにそれぞれの束部材に連結されていることで、上方に窓部のような重量物を支持するのに十分な強度を有している。しかも、横桁部材及び前桁部材の下方域には、それぞれバルコニー横壁及びバルコニー前壁との間に束部材により区画された開口部を形成することができる。これら開口部を通気口として、外気を内部に進入させることができるし、内部空気を外部に排出することもでき、内外圧力を等しくすることができる。
【００１０】
また本発明は、上記バルコニー囲い構造において、前記前桁部材と前記バルコニー前壁との間に形成される複数の前下側開口部、並びに前記横桁部材と前記バルコニー横壁との間に形成される複数の横下側開口部のそれぞれを覆うよう設けられ、かつ空気の通過を許容する通風体を備えたことを特徴とする。
【００１１】
この発明によれば、前桁部材とバルコニー前壁との間に形成される複数の前下側開口部、並びに横桁部材とバルコニー横壁との間に形成される複数の横下側開口部のそれぞれを覆うよう空気の通過を許容する通風体が設けられているので、通気による内外圧力を等しくしつつ、雨等が内部に進入することを良好に抑制することができる。更に、このような通風体が設けられることにより強度の向上を図ることができる。
【００１２】
また本発明は、上記バルコニー囲い構造において、前記通風体は、前記横桁部材及び前記前桁部材のそれぞれの下面に接するとともに、外端面が前記横桁部材及び前記前桁部材の外面と同一平面を形成するよう若しくは該外面よりも内方となるよう設けられていることを特徴とする。
【００１３】
この発明によれば、通風体は、横桁部材及び前桁部材のそれぞれの下面に接しているので、横桁部材及び前桁部材とともに窓部を支持することができ、しかも防犯性を向上させることができる。また、通風体は、外端面が横桁部材及び前桁部材の外面と同一平面を形成するよう若しくはこの外面よりも内方となるよう設けられているので、通風体が必要以上に目立つ虞れがなく、意匠性を損なわない。
【００１４】
また、本発明に係るバルコニー囲い構造の施工方法は、建物躯体から外部に張り出されたバルコニーの上方域を覆うバルコニー囲い構造の施工方法において、前記建物躯体より外部に突出するバルコニー横壁及びこのバルコニー横壁の突出端部に連続して接続するバルコニー前壁のそれぞれの頂部において所定間隔毎に上方に突出する束部材に架け渡されるよう設けられた手摺笠木を取り外す取外工程と、前記バルコニー横壁の延在方向に沿ってその頂部より突出する束部材に横桁部材を架け渡し、該横桁部材をそれぞれの束部材に連結させるとともに、該横桁部材の基端部を前記建物躯体に連結させることで横桁部材を取り付ける横桁取付工程と、前記バルコニー前壁の延在方向に沿ってその頂部より突出する束部材に前桁部材を架け渡し、該前桁部材をそれぞれの束部材に連結させるとともに、該前桁部材の端部を前記横桁部材の先端部に柱部材を介して連結させることで前桁部材を取り付ける前桁取付工程と、前記柱部材の上端部間において前梁部材を前桁部材の上方に架設させるとともに、前記建物躯体と前記柱部材との間において横梁部材を横桁部材の上方に架設させることで前梁部材及び横梁部材を取り付ける梁取付工程と、前記前梁部材、前記横梁部材及び前記建物躯体により形成される上部開口を覆うよう屋根部を取り付ける屋根取付工程と、前記横桁部材と前記横梁部材との間の横上側開口部、並びに前記前桁部材と前記前梁部材との間の前上側開口部のそれぞれを覆うよう窓部を取り付ける窓取付工程とを含むことを特徴とする。
【００１５】
この発明によれば、バルコニー横壁及びバルコニー前壁の頂部に所定間隔毎に上方に突出する束部材に架け渡されるよう設けられた手摺笠木を取り外す取外工程と、バルコニー横壁の束部材に横桁部材を架け渡し、該横桁部材をそれぞれの束部材に連結させるとともに、該横桁部材の基端部を建物躯体に連結させることで横桁部材を取り付ける横桁取付工程と、バルコニー前壁の束部材に前桁部材を架け渡し、該前桁部材をそれぞれの束部材に連結させるとともに、該前桁部材の端部を横桁部材の先端部に柱部材を介して連結させることで前桁部材を取り付ける前桁取付工程と、柱部材の上端部間において前梁部材を前桁部材の上方に架設させるとともに、建物躯体と柱部材との間において横梁部材を横桁部材の上方に架設させることで前梁部材及び横梁部材を取り付ける梁取付工程と、前梁部材、横梁部材及び建物躯体により形成される上部開口を覆うよう屋根部を取り付ける屋根取付工程と、横上側開口部並びに前上側開口部のそれぞれを覆うよう窓部を取り付ける窓取付工程とを含むので、ハンドレールを有する既設のバルコニーに対しても後付けでバルコニー囲い構造を施工することができる。しかも、柱部材は横桁部材及び前桁部材に連結されることで支持されているので、バルコニー壁の頂部に載置するだけでよく、該柱部材の設置に関してのバルコニー壁の工事は不要となり、柱部材の設置に伴ってバルコニーの躯体内部に水等が進入することを防止することができる。
【００１６】
また本発明は、上記バルコニー囲い構造の施工方法において、前記前桁部材と前記バルコニー前壁との間に形成される複数の前下側開口部、並びに前記横桁部材と前記バルコニー横壁との間に形成される複数の横下側開口部のそれぞれを覆うよう空気の通過を許容する通風体を取り付ける通風体取付工程を含むことを特徴とする。
【００１７】
この発明によれば、横下側開口部及び前下側開口部のそれぞれを覆うように空気の通過を許容する通風体を取り付ける通風体取付工程を含むので、該通風体が配設されることで、通気による内外圧力を等しくしつつ、雨等が内部に進入することを良好に抑制することができる。
【発明の効果】
【００１８】
本発明によれば、内外圧力差が生じないようにしつつ、強度の向上を図ることができるという効果を奏する。
【図面の簡単な説明】
【００１９】
【図１】図１は、本発明の実施の形態であるバルコニー囲い構造を示す正面図である。
【図２】図２は、本発明の実施の形態であるバルコニー囲い構造を示す側面図である。
【図３】図３は、図１及び図２に示したバルコニー囲い構造の要部の断面を建物躯体側から見た場合を示す断面図である。
【図４】図４は、図１及び図２に示したバルコニー囲い構造の断面側面図である。
【図５】図５は、本実施の形態であるバルコニー囲い構造の変形例の要部を拡大して示す拡大断面側面図である。
【図６】図６は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図７】図７は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図８】図８は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図９】図９は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図１０】図１０は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図１１】図１１は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図１２】図１２は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【図１３】図１３は、本発明の実施の形態であるバルコニー囲い構造の施工方法の工程を模式的に示すものであり、（ａ）は要部を拡大して示す拡大正面図であり、（ｂ）は要部を拡大して示す拡大断面側面図である。
【発明を実施するための形態】
【００２０】
以下に添付図面を参照して、本発明に係るバルコニー囲い構造及びその施工方法の好適な実施の形態について詳細に説明する。
【００２１】
図１及び図２は、それぞれ本発明の実施の形態であるバルコニー囲い構造を示すもので、図１は正面図、図２は側面図である。ここで例示するバルコニー囲い構造は、建物躯体１より外部に張り出されたバルコニー２の上方域を覆うためのものである。
【００２２】
設置対象となるバルコニー２は、バルコニー床３とバルコニー壁４とを備えて構成されている。バルコニー床３は、矩形状の形態を成すもので、建物躯体１から外部に突出するように設けられている。
【００２３】
バルコニー壁４は、バルコニー横壁４ａとバルコニー前壁４ｂとを有している。バルコニー横壁４ａは、バルコニー床３の両側縁部に沿って立設された左右一対のものであり、建物躯体１より外部に突出するように設けられている。バルコニー前壁４ｂは、バルコニー床３の前縁部に沿って立設されており、バルコニー横壁４ａの突出端部どうしを連結するように設けられている。
【００２４】
図３及び図４は、それぞれ図１及び図２に示したバルコニー囲い構造の断面図であり、図３は、バルコニー囲い構造の要部の断面を建物躯体側から見た場合を示す断面図であり、図４は、断面側面図である。これら図３及び図４にも示すように、バルコニー壁４の頂部には、所定間隔毎に複数の束部材５が上方に突出するよう設けられている。これら束部材５は、それぞれ共通の構成を有しており、束ボルト５ａ、スリーブ５ｂ及び連結板５ｃを備えて構成されている。
【００２５】
束ボルト５ａは、頭部５ａ１がホルダ６や束ベース７に挟み込まれ、胴部５ａ２が笠木８を貫通して上方に向けて突出するよう立設されている。スリーブ５ｂは、筒状部材であり、図示せぬ中空部に束ボルト５ａが相対的に挿通するように該束ボルト５ａの胴部５ａ２を覆い、ナット９が束ボルト５ａの先端に螺合することにより固定されている。連結板５ｃは、矩形状の平板部材である。この連結板５ｃは、スリーブ５ｂの上端面において自身の長手方向がバルコニー壁４の延在方向に一致するようにネジにより取り付けられている。この連結板５ｃの両端部には、後述する取付ネジＴＮが挿通する取付孔５ｃ１が形成されている。
【００２６】
バルコニー囲い構造は、桁部材１０、梁部材２０、屋根部３０及び窓部４０を備えて構成されている。桁部材１０は、略筒状の形態を成す長尺状のもので、横桁部材１０ａと前桁部材１０ｂとを備えて構成されている。
【００２７】
横桁部材１０ａは、バルコニー横壁４ａに設けられた束部材５に架け渡されるようそれぞれの束部材５に連結されるとともに、基端部が桁ブラケットＫＢ（図１０参照）を介して、建物躯体１に設けられた躯体縦枠１ａに連結される左右一対のものである。これら横桁部材１０ａの先端部は、それぞれ桁ブラケットＫＢを介して四角柱状の柱部材５０が連結されている。
【００２８】
前桁部材１０ｂは、バルコニー前壁４ｂに設けられた束部材５に架け渡されるようそれぞれの束部材５に連結されている。この前桁部材１０ｂは、左右両端部がそれぞれ桁ブラケットＫＢを介して横桁部材１０ａの先端部に連結された柱部材５０に連結されている。つまり、柱部材５０は、一方の横桁部材１０ａの先端部と前桁部材１０ｂの右端部とに連結されてバルコニー壁４の一方の角部の頂部（笠木８）に載置されたものと、他方の横桁部材１０ａの先端部と前桁部材１０ｂの左端部とに連結されてバルコニー壁４の他方の角部の頂部（笠木８）に載置されたものとがある。
【００２９】
ここで桁部材１０（横桁部材１０ａ及び前桁部材１０ｂ）は、次のようにして束部材５に連結されている。ここでは前桁部材１０ｂの連結構造について説明するが、横桁部材１０ａの連結構造も同様である。図４に示すように、桁部材１０（図中の例では前桁部材１０ｂ）の下面には幅の異なる凹部が互いに連続して形成されており、幅狭の凹部（以下、幅狭凹部ともいう）１１が上方側で幅広の凹部（以下、幅広凹部ともいう）１２が下方側となっている。幅狭凹部１１と幅広凹部１２との間には、互いに対向する方向に向けて突出し、桁部材１０の延在方向に沿って延在する支持片１３が設けられている。このような桁部材１０では、幅狭凹部１１において支持片１３に載置された状態で連結裏板１４が進入している。この連結裏板１４には雌ネジ孔１４ａが形成されている。そして、束部材５の連結板５ｃを幅広凹部１２の内部に進入させ、該連結板５ｃの取付孔５ｃ１を挿通する取付ネジＴＮが連結裏板１４の雌ネジ孔１４ａに螺合して締め付けることにより桁部材１０は束部材５に連結される。
【００３０】
梁部材２０は、横梁部材２０ａと前梁部材２０ｂとを備えている。横梁部材２０ａは、横桁部材１０ａの上方において、該横桁部材１０ａに連結された柱部材５０と、建物躯体１の躯体縦枠１ａとの間で横桁部材１０ａと平行となるように架設された左右一対のものである。
【００３１】
前梁部材２０ｂは、横梁部材２０ａと同一の高さレベルにおいて（前桁部材１０ｂの上方において）前桁部材１０ｂと平行となるように柱部材５０間に架設されている。
【００３２】
屋根部３０は、前梁部材２０ｂ、横梁部材２０ａ及び建物躯体１により形成される上部開口（図示せず）を覆うように設けられたものである。この屋根部３０は、躯体縦枠１ａの上部に垂木掛け部材１ｂを設けて前梁部材２０ｂとの間に前方に向けて漸次下方に傾斜するよう垂木３１を架設し、これら垂木３１に支持されるように透光パネル材３２が敷設されて構成されている。
【００３３】
窓部４０は、開口枠４１に対して２枚の障子４２がスライド移動可能に配設された、いわゆる引き違い窓と称されるものである。開口枠４１は、上枠４１１、下枠４１２及び一対の縦枠４１３を四周枠組みすることによって構成した矩形状を成すものである。障子４２は、それぞれ上框４２１、下框４２２及び一対の縦框４２３を四周框組みし、かつこれら上框４２１、下框４２２及び一対の縦框４２３の間にガラス板等のパネル材４２４が配設されることによって構成されている。このような窓部４０は、横桁部材１０ａと横梁部材２０ａとの間の横上側開口部６０ａを覆うように１つずつ設けられ、前桁部材１０ｂと前梁部材２０ｂとの間の前上側開口部６０ｂを覆うように２つが並設されている。ここで、窓部４０は、桁部材１０（横桁部材１０ａ及び前桁部材１０ｂ）の上方に突出するヒレ部１５に当接させるように外部から開口部（横上側開口部６０ａ及び前上側開口部６０ｂ）に進入させ、各ヒレ部１５のネジ孔を貫通するネジに締め付けられることにより、下枠４１２がヒレ部１５に締結される。その後に上枠４１１が所定個所にネジ止めされることで配設される。
【００３４】
以上のような構成を有するバルコニー囲い構造においては、各桁部材１０（横桁部材１０ａ及び前桁部材１０ｂ）が複数の束部材５に架け渡されるようにそれぞれの束部材５に連結されていることで、元々桁部材１０は略筒状の形態を成すことで鉛直方向に作用する力に対して十分な強度を有することと相俟って、上方に窓部４０のような重量物を支持するのに十分な強度を有している。しかも、各桁部材１０の下方域には、各桁部材１０とバルコニー壁４との間に束部材５により区画された横下側開口部７０ａ及び前下側開口部７０ｂを形成することができる。これら横下側開口部７０ａ及び前下側開口部７０ｂを通気口として、外気を内部に進入させることができるし、内部空気を外部に排出することもでき、内外圧力を等しくすることができる。
【００３５】
従って、本発明の実施の形態であるバルコニー囲い構造によれば、内外圧力差が生じないようにしつつ、強度の向上を図ることができる。
【００３６】
上述したバルコニー囲い構造では、各桁部材１０（横桁部材１０ａ及び前桁部材１０ｂ）と、バルコニー壁４（バルコニー横壁４ａ及びバルコニー前壁４ｂ）との間において、束部材５に区画された横下側開口部７０ａ及び前下側開口部７０ｂが形成されて、これら横下側開口部７０ａ及び前下側開口部７０ｂを通気口として利用していたが、本発明においては、図５に示すように、これら横下側開口部７０ａ及び前下側開口部７０ｂのそれぞれを覆うように例えばガラリのような空気の通過を許容する通風体７１が配設されてもよい。
【００３７】
このようにガラリのような通風体７１が配設されることで、通気による内外圧力を等しくしつつ、雨等が内部に進入することを良好に抑制することができ、また強度の向上を図ることができる。尚、ここでは通風体７１としてガラリを例に挙げたが、本発明においては網戸や開閉可能な扉体等を用いても構わない。
【００３８】
また、かかる通風体７１は、各桁部材１０（横桁部材１０ａ及び前桁部材１０ｂ）の下面に接するとともに、外端面が各桁部材１０（横桁部材１０ａ及び前桁部材１０ｂ）の外面と同一平面を形成するよう若しくは該外面よりも内方となるよう設けられていることが好ましい。
【００３９】
このように通風体７１が各桁部材１０の下面に接しているので、横桁部材１０ａ及び前桁部材１０ｂとともに窓部４０を支持することができ、しかも防犯性を向上させることができる。また、通風体７１は、外端面が横桁部材１０ａ及び前桁部材１０ｂの外面と同一平面を形成するよう若しくはこの外面よりも内方となるよう設けられていることで、通風体７１自体が必要以上に目立つ虞れがなく、意匠性を損なわない。
【００４０】
以下に本発明の実施の形態であるバルコニー囲い構造の施工方法として、上述したバルコニー囲い構造の施工方法について説明する。尚、以下の説明に用いる図６〜図１３では、バルコニー２の左側しか示していないが、右側においても同様の手順が行われている。
【００４１】
施工対象となる既設のバルコニー２には、図６に示すように、バルコニー壁４の頂部にハンドレールが設けられている。ハンドレールは、手摺笠木８０が複数の束部材５に架け渡されるようにそれぞれの束部材５に設けられていることにより構成されている。このように、本実施の形態であるバルコニー囲い構造の施工方法は、ハンドレールを有する既設のバルコニー２に対して行うものである。
【００４２】
まず、図７に示すように取付ネジＴＮを取り外してから、図８に示すように手摺笠木８０を束部材５から離脱させて取り外す（取外工程）。
【００４３】
これによりバルコニー壁４の頂部には、複数の束部材５がバルコニー壁４の延在方向に沿って所定間隔毎に立設された状態となる。これら束部材５の構造については、上述した通りであるからここではその説明を割愛する。
【００４４】
次に、図９に示すように、バルコニー横壁４ａの基端側頂部より上方に向けて延在する躯体縦枠１ａを左右一対となるように建物躯体１に設置するとともに、これら左右一対の躯体縦枠１ａの上端部間を連結するように垂木掛け部材１ｂを設置する。
【００４５】
図１０に示すように、躯体縦枠１ａに桁ブラケットＫＢを取り付けた後、幅広凹部１２にバルコニー横壁４ａのそれぞれの束部材５の連結板５ｃが相対的に進入するように横桁部材１０ａを前方から後方に向けて移動させ、横桁部材１０ａの基端部を桁ブラケットＫＢにネジ止めすることで、該基端部を建物躯体１に連結させる。その際、図１１及び図１２に示すように、上記取外工程で取り外した取付ネジＴＮを束部材５の連結板５ｃの取付孔５ｃ１に挿通させ連結裏板１４の雌ネジ孔１４ａに螺合させて締め付けることにより、横桁部材１０ａをそれぞれの束部材５に連結させる。これにより横桁部材１０ａを取り付けることができる（横桁取付工程）。
【００４６】
その後、前桁部材１０ｂの左右両端部を柱部材５０に取り付けた桁ブラケットＫＢにネジ止めすることで、前桁部材１０ｂの左右両端部に柱部材５０がそれぞれ連結される。
【００４７】
そして、左右両端部のそれぞれに柱部材５０が連結された前桁部材５０を、バルコニー前壁４ｂのそれぞれの束部材５に架け渡されるよう配置し、横桁部材１０ａの先端部を柱部材５０に取り付けられた桁ブラケットＫＢにネジ止めすることで、柱部材５０を介して前桁部材１０ｂの左右両端部を横桁部材１０ｂの先端部に連結させる。その際、上記取外工程で取り外した取付ネジＴＮを束部材５の連結板５ｃの取付孔５ｃ１に挿通させ連結裏板１４の雌ネジ孔１４ａに螺合させて締め付けることにより、前桁部材１０ｂをそれぞれの束部材５に連結させる。これにより前桁部材１０ｂを取り付けることができる（前桁取付工程）。
【００４８】
その後に、図１３に示すように、横桁部材１０ａの上方において該横桁部材１０ａに連結された柱部材５０と、建物躯体１の躯体縦枠１ａとの間で横桁部材１０ａと平行となるように横梁部材２０ａを架設させるとともに、横梁部材２０ａと同一の高さレベルにおいて（前桁部材１０ｂの上方において）前桁部材１０ｂと平行となるように柱部材５０間に前梁部材２０ｂを架設させる（梁取付工程）。
【００４９】
このように梁部材２０（横梁部材２０ａ及び前梁部材２０ｂ）を架設させた後、垂木３１を垂木掛け部材１ｂと前梁部材２０ｂとの間に、前方に向けて漸次下方に傾斜するよう架設し、これら垂木３１に支持されるように透光パネル材３２を敷設させることで、前梁部材２０ｂ、横梁部材２０ａ及び建物躯体１により形成される上部開口を覆うよう屋根部３０を取り付ける（屋根取付工程）。
【００５０】
最後に、横桁部材１０ａと横梁部材２０ａとの間の横上側開口部６０ａ、並びに前桁部材１０ｂと前梁部材２０ｂとの間の前上側開口部６０ｂを覆うようにそれぞれ窓部４０を取り付ける（窓取付工程）。
【００５１】
この取り付けにおいては、桁部材１０（横桁部材１０ａ及び前桁部材１０ｂ）の上方に突出するヒレ部１５に当接させるように外部から開口部（横上側開口部６０ａ及び前上側開口部６０ｂ）に進入させ、各ヒレ部１５のネジ孔を貫通するネジを締め付けることにより、下枠４１２をヒレ部１５に締結させ、更に上枠４１１を所定個所にネジ止めさせることにより行われる。
【００５２】
このようにしてハンドレールを有する既設のバルコニー２に対して図１及び図２に示したバルコニー囲い構造を施工することができる。
【００５３】
以上説明したようなバルコニー囲い構造の施工方法において施工されたバルコニー囲い構造は、各桁部材１０（横桁部材１０ａ及び前桁部材１０ｂ）が複数の束部材５に架け渡されるようにそれぞれの束部材５に連結されていることで、元々桁部材１０は略筒状の形態を成すことで鉛直方向に作用する力に対して十分な強度を有することと相俟って、上方に窓部４０のような重量物を支持するのに十分な強度を有している。しかも、各桁部材１０の下方域には、各桁部材１０とバルコニー壁４との間に束部材５により区画された横下側開口部７０ａ及び前下側開口部７０ｂを形成することができる。これら横下側開口部７０ａ及び前下側開口部７０ｂを通気口として、外気を内部に進入させることができるし、内部空気を外部に排出することもでき、内外圧力差を等しくすることができる。従って、本発明の実施の形態であるバルコニー囲い構造の施工方法によれば、内外圧力差が生じないようにしつつ、強度の向上を図ることができる。
【００５４】
上記バルコニー囲い構造の施工方法では、バルコニー壁４の頂部に所定間隔毎に上方に突出する束部材５に架け渡されるよう設けられた手摺笠木８０を取り外す取外工程と、バルコニー横壁４ａの束部材５に横桁部材１０ａを架け渡し、該横桁部材１０ａをそれぞれの束部材５に連結させるとともに、該横桁部材１０ａの基端部を建物躯体１に連結させることで横桁部材１０ａを取り付ける横桁取付工程と、バルコニー前壁４ｂの束部材５に前桁部材１０ｂを架け渡し、該前桁部材１０ｂをそれぞれの束部材５に連結させるとともに、該前桁部材１０ｂの左右両端部を横桁部材１０ａの先端部に柱部材５０を介して連結させることで前桁部材１０ｂを取り付ける前桁取付工程と、柱部材５０の上端部間において前梁部材２０ｂを前桁部材１０ｂの上方にこれと略平行となるよう架設させるとともに、建物躯体１と柱部材５０との間において横梁部材２０ａを横桁部材１０ａの上方にこれと略平行となるよう架設させることで前梁部材２０ｂ及び横梁部材２０ａを取り付ける梁取付工程と、前梁部材２０ｂ、横梁部材２０ａ及び建物躯体１により形成される上部開口を覆うよう屋根部３０を取り付ける屋根取付工程と、横上側開口部６０ａ、並びに前上側開口部６０ｂのそれぞれを覆うよう窓部４０を取り付ける窓取付工程とを含むので、ハンドレールを有する既設のバルコニー２に対しても後付けでバルコニー囲い構造を施工することができる。しかも、柱部材５０は横桁部材１０ａ及び前桁部材１０ｂに連結されて支持されているので、バルコニー壁４の頂部に載置するだけでよく、該柱部材５０の設置に関してのバルコニー壁４の工事は不要となり、柱部材５０の設置に伴ってバルコニー２の躯体内部に水等が進入することを防止することができる。
【００５５】
上述したバルコニー囲い構造の施工方法では、各桁部材１０（横桁部材１０ａ及び前桁部材１０ｂ）と、バルコニー壁４（バルコニー横壁４ａ及びバルコニー前壁４ｂ）との間において、束部材５に区画された横下側開口部７０ａ及び前下側開口部７０ｂが形成されて、これら横下側開口部７０ａ及び前下側開口部７０ｂを通気口として利用するバルコニー囲い構造を施工したが、本発明においては、これら横下側開口部７０ａ及び前下側開口部７０ｂを覆うように例えばガラリのような空気の通過を許容する通風体７１を取り付ける通風体取付工程を含んでもよい。このようにガラリのような通風体７１が配設されることで、通気による内外圧力を等しくしつつ、雨等が内部に進入することを良好に抑制することができる。尚、ここでは通風体７１としてガラリを例に挙げたが、本発明においては網戸や開閉可能な扉体等を用いても構わない。
【００５６】
以上、本発明に係るバルコニー囲い構造及びその施工方法の好適な実施の形態及びその変形例について説明したが、本発明においては、更に以下のような変形を行うことができる。
【００５７】
上述した実施の形態において、バルコニー壁４は、バルコニー床３の両側縁部に沿って立設された左右一対のバルコニー横壁４ａと、このバルコニー横壁４ａの突出端部どうしを連結するように設けられたバルコニー前壁４ｂとを備えたものであったが、本発明においては、バルコニー床の一方の側縁部と後端部とが建物躯体に連結されており、バルコニー横壁が他方の側縁部に沿って立設され、バルコニー前壁の一端部がバルコニー横壁の突出端部に連結されるとともに、他端部が建物躯体に連結されるようなバルコニーに対して適用されるものであっても構わない。
【００５８】
上述した実施の形態においては、横梁部材２０ａが建物躯体１と柱部材５０との間において横桁部材１０ａに略平行となるよう架設されるとともに、前梁部材２０ｂが柱部材５０間において前桁部材１０ｂに略平行となるよう架設されていたが、本発明においては、各梁部材は、各桁部材の上方において架設されていれば良く、各桁部材と略平行となるように架設される必要はない。従って、梁部材として円弧状の形態を成すものを用いることも可能である。
【符号の説明】
【００５９】
１  建物躯体
１ａ  躯体縦枠
１ｂ  垂木掛け部材
２  バルコニー
３  バルコニー床
４  バルコニー壁
４ａ  バルコニー横壁
４ｂ  バルコニー前壁
５  束部材
５ａ  束ボルト
５ａ１  頭部
５ａ２  胴部
５ｂ  スリーブ
５ｃ  連結板
５ｃ１  取付孔
６  ホルダ
７  束ベース
８  笠木
９  ナット
１０  桁部材
１０ａ  横桁部材
１０ｂ  前桁部材
１１  幅狭凹部
１２  幅広凹部
１３  支持片
１４  連結裏板
１４ａ  雌ネジ孔
１５  ヒレ部
２０  梁部材
２０ａ  横梁部材
２０ｂ  前梁部材
３０  屋根部
３１  垂木
３２  透光パネル材
４０  窓部
４１  開口枠
４１１  上枠
４１２  下枠
４１３  縦枠
４２  障子
４２１  上框
４２２  下框
４２３  縦框
４２４  パネル材
５０  柱部材
６０ａ  横上側開口部
６０ｂ  前上側開口部
７０ａ  横下側開口部
７０ｂ  前下側開口部
７１  通風体
８０  手摺笠木
ＫＢ  桁ブラケット
ＴＮ  取付ネジ
【図１】
2013241757.tif 000003
【図２】
2013241757.tif 000004
【図３】
2013241757.tif 000005
【図４】
2013241757.tif 000006
【図５】
2013241757.tif 000007
【図６】
2013241757.tif 000008
【図７】
2013241757.tif 000009
【図８】
2013241757.tif 000010
【図９】
2013241757.tif 000011
【図１０】
2013241757.tif 000012
【図１１】
2013241757.tif 000013
【図１２】
2013241757.tif 000014
【図１３】
2013241757.tif 000015